(57)【要約】【課題】ピストン内部にピストン運動軸に対して直行する同一平面上に複数の連通管を有しない金管楽器用ピストンバルブにおいて、楽器保持およびバルブ操作が容易で、従来品に比べて格段に滑らかな管路を得るという課題を、ピストン外径寸法を適宜拡大設定することに依り解決し、その結果、自然で効率の良い金管楽器の音を実現できる新しい金管楽器用ピストンバルブ機構の提供である。【解決手段】ピストン内部にピストン運動軸に対して直行する同一平面上に複数の連通管を有しない金管楽器用ピストンバルブにおいて、滑らかな管路を実現するために、ピストン外径寸法を適宜拡大設定し、ピストン運動軸に対して平行な同一平面上に、ピストン外部連通管とピストン内部連通管を設け、楽器保持およびバルブ操作を容易にし、且つ、強度的に強靭なバルブセクションを実現するために、隣接するバルブケーシング側面を互いに連結させたことを最も主要な特徴とする。【選択図】        図４
2004354492.tif 000002
【特許請求の範囲】
【請求項１】
ピストン内部にピストン運動軸に対して直行する同一平面上に複数の連通管を有しない金管楽器用ピストンバルブにおいて、ピストン運動軸に対して平行な同一平面上に、ピストン外部連通管とピストン内部連通管を設け、隣接するバルブケーシング側面が互いに連結された金管楽器用ピストンバルブ機構。
【発明の詳細な説明】
【０００１】
【発明が属する技術分野】
本発明は、金管楽器用ピストンバルブ機構に関するものである。
【０００２】
【従来の技術】
金管楽器のピストンバルブ機構は、バルブケーシングと呼ばれる円筒管の内部で、円柱形状のピストンが、往復ピストン運動を行い、管路を切り替える機構である。それぞれのピストンの内部には、通常、上中下の３本の連通管を配している。ピストンを作動させない状態では、空気はピストン内部の下の連通管を通過する。一方、ピストンを押し下げた場合は、ピストン内部の上中の２本の連通管を介し、空気は迂回管に流れる仕組みである。
【０００３】
金管楽器のピストンバルブの場合、それぞれ異なる長さの迂回管を持つ所謂３本バルブが最も一般的な形態である。この場合、１番ピストンと呼ばれるピストンを作動させることで、全音分管路を延長し、２番ピストンは、半音分、３番ピストンは、全音半分、それぞれ管路を延長する役目を果している。
【０００４】
現在最も多く見られるピストンバルブ構造を従来例１で示す。図５は従来例１を下方向から見た管路説明図であるが、くねくねと曲がった管路形態を持つため、楽器本来の音に対して、悪影響を及ぼす結果となっている。図６は図５で示すＡ視方向から見た横面図であるが、この方向から見ても、くねくねと曲がった管路である。
【０００５】
従来例２の図７で示す通り、ピストン外部の連通管を直管で構成する形態も見られるが、ピストン内部の連通管は、くねくねと曲がっており、しかも、ピストン内部連通管と外部連通管が出会う部分では、管路が折れてしまい、連続したスムーズな内径形状を得られないという、重大な欠点があった。図８は図７で示すＡ視方向から見た横面図であるが、実施例１と同様に、くねくねと曲がった管路である。
【０００６】
【発明が解決しようとする課題】
本発明が解決しようとする課題は、ピストン内部にピストン運動軸に対して直行する同一平面上に複数の連通管を有しない金管楽器用ピストンバルブにおいて、楽器保持およびバルブ操作が容易で、従来品に比べて格段に滑らかな管路を得るという課題を、ピストン外径寸法を適宜拡大設定することに依り解決し、その結果、自然で効率の良い金管楽器の音を実現できる新しい金管楽器用ピストンバルブ機構の提供である。
【０００７】
【課題を解決するための手段】
本発明は、ピストン内部にピストン運動軸に対して直行する同一平面上に複数の連通管を有しない金管楽器用ピストンバルブにおいて、滑らかな管路を実現するために、ピストン外径寸法を適宜拡大設定し、ピストン運動軸に対して平行な同一平面上に、ピストン外部連通管とピストン内部連通管を設け、楽器保持およびバルブ操作を容易にし、且つ、強度的に強靭なバルブセクションを実現するために、隣接するバルブケーシング側面を互いに連結させたことを最も主要な特徴とする。
【０００８】
【発明の実施の形態】
楽器保持およびバルブ操作を容易にし、且つ、強度的に強靭なバルブセクションを実現するために、隣接するバルブケーシング側面を互いに連結させ、従来品に比べて格段に滑らかな管路を得るために、ピストン外径寸法を適宜拡大し、ピストン外部の直管形状の連通管および、ピストン内部の連通管を、ピストン運動軸に平行な同一平面上に備える構造で実現した。
【０００９】
【実施例】
図１は、本発明である金管楽器用ピストンバルブ機構の実施例１を下方から見た平面図である。１は第１バルブケーシング、２は第２バルブケーシング、３は第３バルブケーシング、４は第１ピストン、５は第２ピストン、６は第３ピストン、７から１０はピストン外部の連通管、１１から１３はピストン内部の連通管、１４は第１迂回管、１５は第２迂回管、１６は第３迂回管、２１はピストン軸に平行な平面である。また、図３、図５および図７においても、同番号は同様な部品を示すものである。
【００１０】
図１でバルブケーシング幅を示すＬ寸法は、トランペットなどの場合、楽器を保持するために、演奏者が左手で掴む都合上、長過ぎては問題となるし、右手の指で操作する押金１７の間隔が広く成り過ぎては、バルブ操作自体に重大な影響を及ぼす。本実施例の場合は、バルブケーシング幅Ｌが７３ｍｍ、押金１７の間隔が２４ｍｍであるから、従来品同等寸法であるため、楽器の保持およびバルブ操作が容易である。また、ピストン軸に平行な同一平面２１上に、ピストン外部連通管７から１０を配し、且つ、ピストン内部連通管１１から１３も、同一平面２１上に配置されている。このスムーズな管路を実現させるためには、ピストン管の外径寸法を適宜設定する必要があるが、本実施例の場合、連通管内径はφ１１．６５ｍｍに対して、ピストン管外径寸法は、φ１９．２ｍｍ、バルブケーシング外径寸法はφ２５ｍｍ、ピストンストロークは１６．５ｍｍである。
【００１１】
図２は、本発明の実施例１を、図１で示すＡ視方向から見た横面図である。図１と同じ番号は同じ部品を示している。１７は押金、１８はピストン軸、１９は上蓋、２０は底蓋である。また、図４、図６および図８においても、同番号は同様な部品を示すものである。
【００１２】
ピストン外部の連通管７から１０とピストン内部の連通管１１から１３は、ピストン軸に平行な同一平面２１上に位置しているので、図２のハッチングで示す管路は、連通管の実際の曲率を示している。図１のＬ寸法を一定に保ちながら、ピストン管の外径寸法を適宜拡大した結果、非常に滑らかな管路が形成されている。また、図中の矢印で示される空気の流れる方向は、逆方向であっても何ら問題無いものである。
【００１３】
管路が、緩やかなカーブを持つ滑らかな形状で、しかも、内径断面形状が真円の連続であるため、自然で効率の良い金管楽器の音を実現できるのである。更に、ピストン管の外径寸法の拡大に伴い、ピストンを押した時に空気が通る上中の２本の連通管も、従来品の小径ピストンに比較して、格段に滑らかに設定できる利点がある。この結果、ピストンを押した時でさえも、滑らかに迂回管に空気を送り込むことが可能となるため、音質が向上するのである。
【００１４】
それぞれのピストン内部には通常、上中下の３本の連通管があるが、ピストン外径寸法を適宜拡大設定することで、従来品に見られる連通管同士の干渉をも防ぐことが可能となり、断面形状が真円の連通管管路も実現できるのである。また、ピストン外径は、連通管内径、バルブケーシング外径、ピストンストローク、迂回管の配置位置などを考慮して、適宜設定される寸法であるため、一定では無い。
【００１５】
図３は本発明の実施例２を下方から見た平面図である。実際、現在のトランペットは本図で示す通り、第３迂回管１６が連通管７から９と同じ方向に配置されるのが一般的である。この様な配置の場合、第３ピストン６を押し下げた時に、正にピストン軸に平行な平面２１上に、迂回管１６が配置可能となる。しかも連通管９と迂回管１６の入口が同じ高さにあるため、第３ピストン内部の連通管１３は、直管となる。また、実際の楽器においては、第１迂回管１４の配置位置が異なる場合が見られるが、その様な場合、連通管７は必ずしもピストン軸に平行な平面２１上に配置させる必要は無い。
【００１６】
図４は、本発明の実施例２を、図３で示すＡ視方向から見た横面図である。第３ピストン内部の連通管１３は、この方向から見ても直管であるため、曲がりの無い理想的な管路を形成している。このように本発明は、実際の利用上においても、現実的で非常に有効な画期的発明である。
【００１７】
【発明の効果】
以上説明したように本発明の金管楽器用ピストンバルブ機構は、バルブケーシングの幅Ｌが従来寸法同等であるため、楽器の保持およびバルブ操作が容易でありながら、ピストン外径寸法を適宜拡大設定しているので、従来品に比べて格段に滑らかな管路を実現し、しかも連通管同士の干渉を防ぐことが可能になるため、内径に凸凹が発生しない。その結果、鳴りむらの無い、自然で効率の良い金管楽器の音を実現できるものである。更に、隣接するバルブケーシング側面を互いに連結接合させたことにより、強度的に強靭なバルブセクションを実現する。しかも従来品に見られるバルブケーシング同士を結合する支柱２２が不要となり、経済的である。
【図面の簡単な説明】
【図１】本発明の金管楽器用ピストンバルブ機構の平面図である。（実施例１）
【図２】図１の金管楽器用ピストンバルブ機構の横面図である。（実施例１）
【図３】本発明の金管楽器用ピストンバルブ機構の平面図である。（実施例２）
【図４】図３の金管楽器用ピストンバルブ機構の横面図である。（実施例２）
【図５】金管楽器用ピストンバルブ機構の従来例の平面図である。（従来例１）
【図６】図５の金管楽器用ピストンバルブ機構の横面図である。（従来例１）
【図７】金管楽器用ピストンバルブ機構の従来例の平面図である。（従来例２）
【図８】図７の金管楽器用ピストンバルブ機構の横面図である。（従来例２）
【符号の説明】
１    第１バルブケーシング
２    第２バルブケーシング
３    第３バルブケーシング
４    第１ピストン
５    第２ピストン
６    第３ピストン
７    ピストン外部の連通管
８    ピストン外部の連通管
９    ピストン外部の連通管
１０    ピストン外部の連通管
１１    ピストン内部の連通管
１２    ピストン内部の連通管
１３    ピストン内部の連通管
１４    第１迂回管
１５    第２迂回管
１６    第３迂回管
１７    押金
１８    ピストン軸
１９    上蓋
２０    底蓋
２１    ピストン軸に平行な平面
２２    支柱
【図１】
2004354492.tif 000003
【図２】
2004354492.tif 000004
【図３】
2004354492.tif 000005
【図４】
2004354492.tif 000006
【図５】
2004354492.tif 000007
【図６】
2004354492.tif 000008
【図７】
2004354492.tif 000009
【図８】
2004354492.tif 000010